(57)【要約】【課題】本発明にとって、液体重力水平測定器の心臓部と言える液体の重力運動を利用し、液体の重力による流動運動が停止した処において、液体の自然重力（引力）運動によって、敏速、正確な水平測定を可能とし、課題を成し遂げ提供するのが液体重力水平測定器である。【解決の手段】  液体重力水平測定器は、液体自体が起こす、この液体の自然重力運動を応用し、液体注入する容器の内面が同一体で液体がバランスよく流動でき、その液体が透視できる透視測定面を持つ密閉可能な容器を使用。これら透視測定面を持つ容器の容積に対し、容積の５０％にあたる液体を透視測定面を持つ容器に注入し密閉、液体が密閉された透視測定面を持つ容器外に水平測定基準線と角度計目盛、リング状目盛、液体重力水平測定器の外環面に角度計目盛等をととのえる。液体の自然重力運動を応用した事を特徴した事で、敏速で正確な測定を課題とし、成し遂げたのが液体重力水平測定器。【特許請求の範囲】
【請求項１】
液体自体が重力運動を起こす、この液体の自然重力運動を応用する。
液体が注入される容器の内面が同一体で、液体がバランスよく流動でき、その液体が透視できる透視測定面を持つ密閉可能な容器を使用。
これらの透視測定面を持つ容器の容積に対し、容積の５０％にあたる液体を透視測定面を持つ容器に注入し密閉。
液体が密閉された透視測定面を持つ容器外に水平基準線と角度計目盛、リング状角度計目盛、液体重力水平測定器の外環面に角度計目盛等を装備した水平測定器。
【発明の詳細な説明】
【技術の分野】
【０００１】本発明の液体重力水平測定器は、液体自体が起こす自然重力運動を応用し、水平測定、平行測定、斜線測定、角度数値測定、平面測定、斜面測定らを、敏速で正確な測定、多機能応用力を図ったものである。
この発明は、細工、木工工作、機械製作、建築、土木作業等に関連する水平測定器である。
【背景の技術】
【０００２】（イ）従来の泡気使用の水平測定器は、一つの泡気を目測により確かめる水平測定器で有り、泡気使用の水平測定器自体に水平測定基準位置の表示がなく、目測判断で水平を決める以外なく、水平確認が難しく正確な水平測定が出来なかった。
（ロ）従来の泡気を利用した水平測定器は、一つの水平測定器での測定範囲は限られた為、従来の泡気付き水平測定器単品では、多機能、敏速、正確な測定をするには無理な状況下にあった。
このため、複雑に大型化したが故、個々の泡気集合体の水平測定器で大型多機能化した商品であるが目測測定による単独機能の集合体故、絡み合い、不都合な状態にあった。
【発明の概要】
【発明が解決しようとする課題】
【０００３】そのために、次のような問題点があった。
（イ）泡気を装置として利用している泡気装置付きの水平測定器は目測測定器で有り、泡気装置付きの水平測定器自体には、水平測定基準位置の表示がなく正確な水平測定をするには課題があった。
（ロ）構造上、複数の泡気装置付きの水平測定器は、複雑に大型化した為、個々の泡気装置が絡み合い、測定動向力に欠点があり、同機能を持つ個々の集合体であるが、協調性が無く多機能応用化として、性能を充分に発揮できない状況下あった。
（ハ）泡気装置付き水平測定器は、元来から、目測による水平測定器であるが故、水平測定基準位置、角度計目盛等を装備するにあたらない水平測定器ある。
このような難点がある為、本発明の液体重力水平測定器は、これらの課題を解消する為に敏速で正確な測定、応用力測定を成遂げる為、開発したものである。
【課題を解決しようとする手段】
【０００４】（イ）液体自体が重力運動を起こす、この液体の自然重力運動を応用する。
（ロ）液体が注入される容器の内面が同一体で液体がバランスよく流動でき、その液体が透視できる透視測定面を持つ密閉可能な容器を使用。
（ハ）これら透視測定面を持つ容器の容積に対し、容積の５０％にあたる液体を容器に注入。
（ニ）液体が密閉された容器の透視測定面外に水平基準線と角度計目盛、リング状角度計目盛、液体重力水平測定器の外環面に角度計目盛等を装備。
（ホ）液体重力水平測定器内に搭載された液体は、液体自体の自然重力運動により液体の水面は密閉された容器の透視測定面に正確な水平線を常時表示します。
（ヘ）液体重力水平測定器内に搭載された液体は、液体自体の自然重力運動を利用する事で、あらゆる測定物の素材状況を即座に判断し、敏速、正確な水平測定を図ります。
（ト）液体の自然重力運動の利用で、液体重力水平測定器内の液体は外部から与えられた測定素材の条件に対し、即座に状況判断し、液体による水平線が容器外に表示された水平基準線と交わる事で、測定素材が水平であることを敏速、正確な水平測定を可能とした。
（ホ）密閉された容器の透視測定面に液体による水平線が容器外に表示された角度計目盛、もしくは液体重力水平測定器の外環面の角度計目盛を読み取り、水平基準線に対する測定素材の角度数値測定が即時、正確に角度数値測定できるように開発を図った。
（ヘ）液体重力水平測定器が示した、容器内の液体による水平線で、液体重力水平測定器の容器外に表示された角度計目盛を読み取る事で、水平線測定、平行線測定、垂直線測定、角度数値測定、斜線測定、平面測定、斜面測定等を液体重力水平測定器は多機能で敏速、正確な測定を成し遂げるよう開発を図った。
（ト）液体重力水平測定器を伸縮目盛付物差しに装着する事で、空間水平測定、空間角度測定、空間距離測定の三測定同時測定を可能にした。
（チ）液体重力水平測定器の透視測定面外に水平基準線と角度計目盛、リング状角度計の目盛装着、直球面容器、直円錐面容器を装備する事で、液体重力水平測定器の直球面容器、直円錐面容器底辺部を平面測定素材に対し、平面測定する事で、工作物、壁面、床面等の平面水平測定、斜面角度測定等を可能にした。
【発明の効果】
【０００５】従来の泡気装置付き水平測定器と比較して多様な技術を向上させたのが液体重力水平測定器です。
（イ）即時正確な水平測定を可能にした。
（ロ）一台の液体重力水平測定器で水平線測定、平行線測定、垂直線測定、斜線測定、平面測定、斜面測定、角度数値測定等、多機能化を図り即時正確な測定を可能にした。
（ハ）水平基準線と測定対象物との角度測定を容器外に表示された角度目盛計を使い測定素材の角度測定を即時正確な測定を可能にした。
（ニ）水平基準線と測定素材との角度差測定を即時正確な数値測定を可能にした。
（ホ）液体重力水平測定器を伸縮物差しへの装着で空間水平測定、空間角度測定、空間距離測定の三測定同時測定を可能にした。
液体重力水平測定器を工具（巻尺、メジャー）等に装着する事で多機能、応用測定等の課題解決を成し遂げたのが液体重力水平測定器です。
【発明を実地するための最良の形態】
【０００６】（イ）液体重力水平測定器は、液体自体が重力運動を起こす、この液体の自然重力運動を応用する。
（ロ）液体が注入される容器の内面が同一体で液体がバランスよく流動でき、その液体が透視できる透視測定面を持つ密閉可能な容器を使用。
（ハ）これら透視測定面を持つ容器の容積に対し、容積の５０％にあたる液体を透視測定面を持つ容器に注入し密閉。
（ニ）液体が密閉された容器外に水平基準線と角度計目盛、リング状目盛、液体重力水平測定器の外環面に角度計目盛等を装備。
これらの装備を整え、液体の自然重力運動を応用した事を特徴とするのが液体重力水平測定器。
【手続補正書】
【提出日】平成24年8月20日(2012.8.20)
【手続補正１】
【補正対象書類名】明細書
【補正対象項目名】０００４
【補正方法】変更
【補正の内容】
【０００４】（イ）液体自体が重力運動を起こす、この液体の自然重力運動を応用する。
（ロ）液体が注入される容器の内面が同一体で液体がバランスよく流動でき、の液体が透視できる透視測定面を持つ密閉可能な容器を使用。
（ハ）これら透視測定面を持つ容器の容積に対し、容積の５０％にあたる液体
（ニ）液体が密閉された容器の透視測定面外に水平基準線と角度計目盛、リン状角度計目盛、液体重力水平測定器の外環面に角度計目盛等を装備。
（ホ）液体重力水平測定器内に搭載された液体は、液体自体の自然重力運動にリ液体の水面は密閉された容器の透視測定面に正確な水平線を常時表示ます。
（ヘ）液体重力水平測定器内に搭載された液体は、液体自体の自然重力運動を用する事で、あらゆる測定物の素材状況を即座に判断し、敏速、正確な平測定を図ります。
（ト）液体の自然重力運動の利用で、液体重力水平測定器内の液体は外部からえられた測定素材の条件に対し、即座に状況判断し、液体による水平線容器外に表示された水平基準線と交わる事で、測定素材が水平であるこを敏速、正確な水平測定を可能とした。
（チ）密閉された容器の透視測定面に液体による水平線が容器外に表示された度計目盛、もしくは液体重力水平測定器の外環面の角度計目盛を読み取水平基準線に対する測定素材の角度数値測定が即時、正確に角度数値測できるように開発を図った。
（リ）液体重力水平測定器が示した、容器内の液体による水平線で、液体重力平測定器の容器外に表示された角度計目盛を読み取る事で、水平線測定平行線測定、垂直線測定、角度数値測定、斜線測定、平面測定、斜面測等を液体重力水平測定器は多機能で敏速、正確な測定を成遂げるように発を図った。
（ヌ）液体重力水平測定器を伸縮目盛付物差しに装着する事で、空間水平測定空間角度測定、空間距離測定、三測定同時測定を可能にした。
（ル）液体重力水平測定器の透視測定面外に水平基準線と角度計目盛、リング角度計の目盛装着、直球面容器、直円錐面容器を装備する事で、液体重水平測定器の直球面容器、直円錐面容器底辺部を平面測定素材に対し、面測定する事で、工作物、壁面、床面等の平面水平測定、斜面角度測定を可能にした。